【手続補正書】
【提出日】平成30年12月10日(2018.12.10)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、  
未だ開始していない可変表示に関する情報を保留記憶として記憶する保留記憶手段と、  
前記保留記憶手段に記憶されている保留記憶に対応して保留表示を表示する保留表示手段と、  
前記有利状態へ制御されるか否かを判定する判定手段と、  
可変表示の実行に伴って消去される保留表示の態様の少なくとも一部を引き継いで、実行中の可変表示に対応した対応表示を表示可能な対応表示手段と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段と、を備え、  
前記第１態様の保留表示が表示されている場合に、該第１態様の保留表示よりも後に表示された保留表示が前記第２態様へ変化することを制限するとともに、該第２態様へ変化することを制限された保留表示に対応した対応表示が開始された以後のタイミングに、該対応表示を前記第２態様へ変化させる、  
ことを特徴とする遊技機。
【請求項２】
可変表示を行い、遊技者にとって有利な有利状態に制御可能な遊技機であって、  
未だ開始していない可変表示に関する情報を保留記憶として記憶する保留記憶手段と、  
前記保留記憶手段に記憶されている保留記憶に対応して保留表示を表示する保留表示手段と、  
前記有利状態へ制御されるか否かを判定する判定手段と、  
可変表示の実行に伴って消去される保留表示の態様の少なくとも一部を引き継いで、実行中の可変表示に対応した対応表示を表示可能な対応表示手段と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段と、を備え、  
前記第１態様の対応表示が表示されている場合に、該第１態様の対応表示に対応した可変表示よりも後に可変表示が開始される可変表示に対応した保留表示が前記第２態様へ変化することを制限するとともに、該第２態様へ変化することを制限された保留表示に対応した対応表示が開始された以後のタイミングに、該対応表示を前記第２態様へ変化させる、  
ことを特徴とする遊技機。
【請求項３】
可変表示を行い、遊技者にとって有利な有利状態に制御可能な遊技機であって、  
未だ開始していない可変表示に関する情報を保留記憶として記憶する保留記憶手段と、  
前記保留記憶手段に記憶されている保留記憶に対応して保留表示を表示する保留表示手段と、  
前記有利状態へ制御されるか否かを判定する判定手段と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段と、を備え、  
前記変化手段によって表示態様が変化するタイミングは、第１タイミングと、前記第１タイミングよりも遅い第２タイミングとがあり、  
保留表示が第１態様で表示されている場合に、該第１態様の保留表示よりも後に表示された保留表示が第２態様へ変化するタイミングを前記第２タイミングに決定する手段をさらに備える、  
ことを特徴とする遊技機。
【請求項４】
可変表示を行い、遊技者にとって有利な有利状態に制御可能な遊技機であって、  
未だ開始していない可変表示に関する情報を保留記憶として記憶する保留記憶手段と、  
前記保留記憶手段に記憶されている保留記憶に対応して保留表示を表示する保留表示手段と、  
前記有利状態へ制御されるか否かを判定する判定手段と、  
可変表示の実行に伴って消去される保留表示の態様の少なくとも一部を引き継いで、実行中の可変表示に対応した対応表示を表示可能な対応表示手段と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段と、を備え、  
前記変化手段によって表示態様が変化するタイミングは、第１タイミングと、前記第１タイミングよりも遅い第２タイミングとがあり、  
対応表示が第１態様で表示されている場合に、該第１態様の対応表示よりも後に実行される可変表示に対応した保留表示が第２態様へ変化するタイミングを前記第２タイミングに決定する手段をさらに備える、  
ことを特徴とする遊技機。
【手続補正２】
【補正対象書類名】明細書
【補正対象項目名】０００８
【補正方法】変更
【補正の内容】
【０００８】
（１）上記目的を達成するため、本発明に係る遊技機は、  
可変表示を行い、遊技者にとって有利な有利状態に制御可能な遊技機であって、  
未だ開始していない可変表示に関する情報を保留記憶として記憶する保留記憶手段（例えば第１特図保留記憶部や第２特図保留記憶部など）と、  
前記保留記憶手段に記憶されている保留記憶に対応して保留表示を表示する保留表示手段（例えば第１保留表示部５ＨＬや第２保留表示部５ＨＲなど）と、  
前記有利状態へ制御されるか否かを判定する判定手段（例えばステップＳ２１３の処理を実行するＣＰＵ１０３など）と、  
可変表示の実行に伴って消去される保留表示の態様の少なくとも一部を引き継いで、実行中の可変表示に対応した対応表示を表示可能な対応表示手段（例えば可変表示対応表示部ＡＨＡなど）と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段（例えばステップＳ５０４の処理を実行する演出制御用ＣＰＵ１２０など）と、を備え、  
前記第１態様の保留表示が表示されている場合に、該第１態様の保留表示よりも後に表示された保留表示が前記第２態様へ変化することを制限するとともに（例えばステップＳ７０７の処理を実行する演出制御用ＣＰＵ１２０など）、該第２態様へ変化することを制限された保留表示に対応した対応表示が開始された以後のタイミングに、該対応表示を前記第２態様へ変化させる（例えばステップＳ５０９の処理を実行する演出制御用ＣＰＵ１２０など）、  
ことを特徴とする。
【手続補正３】
【補正対象書類名】明細書
【補正対象項目名】００１０
【補正方法】変更
【補正の内容】
【００１０】
（２）上記目的を達成するため、本発明に係る他の遊技機は、  
可変表示を行い、遊技者にとって有利な有利状態に制御可能な遊技機であって、  
未だ開始していない可変表示に関する情報を保留記憶として記憶する保留記憶手段（例えば第１特図保留記憶部や第２特図保留記憶部など）と、  
前記保留記憶手段に記憶されている保留記憶に対応して保留表示を表示する保留表示手段（例えば第１保留表示部５ＨＬや第２保留表示部５ＨＲなど）と、  
前記有利状態へ制御されるか否かを判定する判定手段（例えばステップＳ２１３の処理を実行するＣＰＵ１０３など）と、  
可変表示の実行に伴って消去される保留表示の態様の少なくとも一部を引き継いで、実行中の可変表示に対応した対応表示を表示可能な対応表示手段（例えば可変表示対応表示部ＡＨＡなど）と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段（例えばステップＳ５０４の処理を実行する演出制御用ＣＰＵ１２０など）と、を備え、  
前記第１態様の対応表示が表示されている場合に、該第１態様の対応表示に対応した可変表示よりも後に可変表示が開始される可変表示に対応した保留表示が前記第２態様へ変化することを制限するとともに（例えばステップＳ７０７の処理を実行する演出制御用ＣＰＵ１２０など）、該第２態様へ変化することを制限された保留表示に対応した対応表示が開始された以後のタイミングに、該対応表示を前記第２態様へ変化させる（例えばステップＳ５０９の処理を実行する演出制御用ＣＰＵ１２０など）、  
ことを特徴とする。
【手続補正４】
【補正対象書類名】明細書
【補正対象項目名】００１２
【補正方法】変更
【補正の内容】
【００１２】
（３）上記目的を達成するため、本発明に係る他の遊技機は、  
可変表示を行い、遊技者にとって有利な有利状態に制御可能な遊技機であって、  
未だ開始していない可変表示に関する情報を保留記憶として記憶する保留記憶手段（例えば第１特図保留記憶部や第２特図保留記憶部など）と、  
前記保留記憶手段に記憶されている保留記憶に対応して保留表示を表示する保留表示手段（例えば第１保留表示部５ＨＬや第２保留表示部５ＨＲなど）と、  
前記有利状態へ制御されるか否かを判定する判定手段（例えばステップＳ２１３の処理を実行するＣＰＵ１０３など）と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段（例えばステップＳ５０４の処理を実行する演出制御用ＣＰＵ１２０など）と、を備え、  
前記変化手段によって表示態様が変化するタイミングは、第１タイミングと、前記第１タイミングよりも遅い第２タイミングとがあり（例えば入賞時のタイミングと「第１態様」の表示に対応する可変表示が終了したタイミングなど）、  
保留表示が第１態様で表示されている場合に、該第１態様の保留表示よりも後に表示された保留表示が第２態様へ変化するタイミングを前記第２タイミングに決定する手段（例えば「第１態様」の表示に対応する可変表示が終了したタイミングに決定する演出制御用ＣＰＵ１２０など）をさらに備える、  
ことを特徴とする。
【手続補正５】
【補正対象書類名】明細書
【補正対象項目名】００１４
【補正方法】変更
【補正の内容】
【００１４】
（４）上記目的を達成するため、本発明に係る他の遊技機は、  
可変表示を行い、遊技者にとって有利な有利状態に制御可能な遊技機であって、  
未だ開始していない可変表示に関する情報を保留記憶として記憶する保留記憶手段（例えば第１特図保留記憶部や第２特図保留記憶部など）と、  
前記保留記憶手段に記憶されている保留記憶に対応して保留表示を表示する保留表示手段（例えば第１保留表示部５ＨＬや第２保留表示部５ＨＲなど）と、  
前記有利状態へ制御されるか否かを判定する判定手段（例えばステップＳ２１３の処理を実行するＣＰＵ１０３など）と、  
可変表示の実行に伴って消去される保留表示の態様の少なくとも一部を引き継いで、実行中の可変表示に対応した対応表示を表示可能な対応表示手段（例えば可変表示対応表示部ＡＨＡなど）と、  
前記判定手段の判定結果に応じて前記判定の対象となった保留記憶に対応する保留表示の表示態様を、第１態様と、該第１態様よりも有利状態へ制御される可能性の高いことを報知する第２態様とを含む複数種類の表示態様のうちいずれかへ変化させる変化手段（例えばステップＳ５０４の処理を実行する演出制御用ＣＰＵ１２０など）と、を備え、  
前記変化手段によって表示態様が変化するタイミングは、第１タイミングと、前記第１タイミングよりも遅い第２タイミングとがあり（例えば入賞時のタイミングと「第１態様」の表示に対応する可変表示が終了したタイミングなど）、  
対応表示が第１態様で表示されている場合に、該第１態様の対応表示よりも後に実行される可変表示に対応した保留表示が第２態様へ変化するタイミングを前記第２タイミングに決定する手段（例えば「第１態様」の表示に対応する可変表示が終了したタイミングに決定する演出制御用ＣＰＵ１２０など）をさらに備える、  
ことを特徴とする。